(57)【特許請求の範囲】
【請求項１】
光源と、周囲照度を検出する照度検出部と、前記周囲照度値が第１モード設定照度値以上になると消灯或いは調光点灯である第１の点灯モードで前記光源の光出力を制御し、前記周囲照度値が第２モード開始照度値以下になるとフル点灯である第２の点灯モードで前記光源の光出力を制御する照明制御手段と、を備えた照明装置であって、
前記第１の点灯モード中の複数の前記周囲照度値の平均値が低いほど前記第２モード開始照度値を低く補正する照度設定補正手段を備えたことを特徴とする照明装置。
【請求項２】
光源と、周囲照度を検出する照度検出部と、前記周囲照度値が第１モード設定照度値以上になると消灯或いは調光点灯である第１の点灯モードで前記光源の光出力を制御し、前記周囲照度値が第２モード開始照度値以下になるとフル点灯である第２の点灯モードで前記光源の光出力を制御する照明制御手段と、を備えた照明装置であって、
前記第１の点灯モード中の前記周囲照度値の最大値が低いほど前記第２モード開始照度値を低く補正する照度設定補正手段を備えたことを特徴とする照明装置。
【請求項３】
光源と、周囲照度を検出する照度検出部と、前記周囲照度値が第１モード設定照度値以上になると消灯或いは調光点灯である第１の点灯モードで前記光源の光出力を制御し、前記周囲照度値が第２モード開始照度値以下になるとフル点灯である第２の点灯モードで前記光源の光出力を制御する照明制御手段と、を備えた照明装置であって、
前記第１の点灯モード中の前記周囲照度値の累積値が低いほど前記第２モード開始照度値を低く補正する照度設定補正手段を備えたことを特徴とする照明装置。
【請求項４】
光源と、周囲照度を検出する照度検出部と、前記周囲照度値が第１モード設定照度値以上になると消灯或いは調光点灯である第１の点灯モードで前記光源の光出力を制御し、前記周囲照度値が第２モード開始照度値以下になるとフル点灯である第２の点灯モードで前記光源の光出力を制御する照明制御手段と、を備えた照明装置であって、
前記第１の点灯モード中のある時における前記周囲照度値の時間微分値が低いほど前記第２モード開始照度値を低く補正する照度設定補正手段を備えたことを特徴とする照明装置。
【発明の詳細な説明】
【０００１】
【発明の属する利用分野】
本発明は照明装置に関する。
【０００２】
【従来の技術】
本発明に係る従来例として特開平２−１５５９６号公報に示したものが有り、それは以下の様なものである。
【０００３】
周囲が暗くなると照度検出部の検出結果に応じて光源が所定時間点灯され、その所定時間経過後には消灯される。しかし、消灯後であつても通行人などがあつて人体検出部が作動すると、その都度光源が点灯される。従つて日没後人通りが多い時間の間だけ光源を連続点灯させ、それ以降の深夜には通行人など人が周囲にいる時にその都度必要な時間だけ点灯させることができる。これにより電力消費が削減できるとともに、通行人の安全を確保できる。
【０００４】
【発明が解決しようとする課題】
しかし、上記従来例には、以下の様な問題点が生じてしまう。
【０００５】
例えば一日を通して照度があまり高くならない様な、比較的暗いところにおいては、照度検出部が暗い／明るいを判断する設定値を高めに設定していると、日中でも天気や障害物などが原因で、わずかな時間だけ周囲照度が大きく落ちた場合、該設定値が高い為、日中にも拘わらず所定時間が過ぎるまで光源を点灯してしまう。つまり、周囲照度が減少後に十分に高く復帰したにもかかわらず、光源を点灯しっぱなしにしてしまうことになり、省エネルギーの観点から見ても電力の無駄であるし、場合によっては見た目に不快と感じてしまう。日中の照度や使用場所などに応じて、使用者が該設定値を変更するようにすれば、上述の様な不具合は低減されるものの、わざわざ設定する手間が生じてしまい、不便である。
【０００６】
本発明は、上記問題点に鑑みてなされたものであり、その目的とするところは、電力ロスを低減可能で、使用者が設定値を設定する手間を省くことが可能な照明装置を提供することである。
【０００７】
【課題を解決するための手段】
上記問題点を解決するために、請求項１記載の発明によれば、光源と、周囲照度を検出する照度検出部と、照度検出部周囲照度値が第１モード設定照度値以上になると消灯或いは調光点灯である第１の点灯モードで照度検出部光源の光出力を制御し、照度検出部周囲照度値が第２モード開始照度値以下になるとフル点灯である第２の点灯モードで照度検出部光源の光出力を制御する照明制御手段と、照度検出部第１の点灯モード中の照度検出部周囲照度値に基づいて照度検出部第２モード開始照度値を補正する照度設定補正手段とを備えたことを特徴とする。
【０００８】
請求項１記載の発明によれば、照度設定補正手段は、照度検出部第１の点灯モード中の複数の照度検出部周囲照度値の平均値に基づいて照度検出部第２モード開始照度値を補正するものであることを特徴とする。
【０００９】
請求項１記載の発明によれば、照度設定補正手段は、照度検出部第１の点灯モード中の複数の照度検出部周囲照度値の平均値が低いほど照度検出部第２モード開始照度値を低く補正するものであることを特徴とする。
【００１０】
請求項２記載の発明によれば、照度設定補正手段は、照度検出部第１の点灯モード中の照度検出部周囲照度値の最大値に基づいて照度検出部第２モード開始照度値を補正するものであることを特徴とする。
【００１１】
請求項２記載の発明によれば、照度設定補正手段は、照度検出部第１の点灯モード中の照度検出部周囲照度値の最大値が低いほど照度検出部第２モード開始照度値を低く補正するものであることを特徴とする。
【００１２】
請求項３記載の発明によれば、照度設定補正手段は、照度検出部第１の点灯モード中の照度検出部周囲照度値の累積値に基づいて照度検出部第２モード開始照度値を補正するものであることを特徴とする。
【００１３】
請求項３記載の発明によれば、照度設定補正手段は、照度検出部第１の点灯モード中の照度検出部周囲照度値の累積値が低いほど照度検出部第２モード開始照度値を低く補正するものであることを特徴とする。
【００１４】
請求項４記載の発明によれば、照度設定補正手段は、照度検出部第１の点灯モード中のある時における照度検出部周囲照度値の時間微分値に基づいて照度検出部第２モード開始照度値を補正するものであることを特徴とする。
【００１５】
請求項４記載の発明によれば、照度設定補正手段は、照度検出部第１の点灯モード中のある時における照度検出部周囲照度値の時間微分値が低いほど照度検出部第２モード開始照度値を低く補正するものであることを特徴とする。
【００１６】
【実施の形態】
（実施の形態１）
本発明に係る第１の実施の形態のブロック構成図を図１に、特性図を図２に、場所Ａでの周囲照度の変化を図３（１）に、場所Ｂでの周囲照度の変化を図３（２）に示す。
【００１７】
本ブロック構成は、図１に示す様に、光センサ２１を有し、周囲照度に応じて周囲照度値Ｌを出力する照度検出部２０と、照度値入力部２２と制御部６０とタイマ部６１と照度設定補正手段６２とを有し、周囲照度値Ｌに応じて点灯信号Ｓを照明制御手段４０に送出するＣＰＵ４４と、ゼロクロス検出器４１とフォトトライアック４２とトライアック４３とを有し、点灯信号Ｓに応じて光源５０の光出力を制御する照明制御手段４０とから構成される。なお、１は交流電源である。
【００１８】
以下、図２、図３を参照して動作を簡単に説明する。
照度値入力部２２は、Ａ／Ｄ変換等で読み込んだ周囲照度値Ｌと所定の設定値とを比較出力し、その出力結果をタイマ部６１と照度設定補正手段６２とへ送出する。周囲照度値Ｌが第２モード開始照度値以下になると、タイマ部６１は、所定時間だけ第２モード信号Ｓ２を制御部６０と照度設定補正手段６２とに送出する。また、周囲照度値Ｌが第１モード設定照度値以上になると、第１モード信号Ｓ１を制御部６０と照度設定補正手段６２とに送出する。制御部６０は、タイマ部６１より第１モード信号Ｓ１を受けると第１モードの点灯信号Ｓを照明制御手段４０に送出し、タイマ部６１より第２モード信号Ｓ２を受けると第２モードの点灯信号Ｓを照明制御手段４０に送出する。照度設定補正手段６２は、図３（ａ）に示す様に、周囲照度値Ｌが第１モード設定照度値を上回った時より所定時間経過するまでの周囲照度値Ｌを１つ以上（ここでは３つ）とり込み、それら周囲照度値の平均値から、図２に示す特性図に基づいて第２モード開始照度値を補正する。ここで、該平均値が低いほど第２モード開始照度値が低くなるように補正することにより、より外乱の影響を低減できる。
【００１９】
なお、第１モード及び第２モードの継続時間は、タイマなどの計時手段によるもので決定してもよく、周囲照度値Ｌが第１モード設定照度値以上の場合は第１モードを継続し、周囲照度値Ｌが第２モード開始照度値以下の場合は第２モードを継続する様にしてもよい。
【００２０】
（実施の形態２）
本発明に係る第２の実施の形態の特性図を図４に示す。
【００２１】
上記第１の実施の形態と異なる点は、照度設定補正手段６２は、図３（ｂ）に示す様に、第１モード中の周囲照度値Ｌの最大値をとり込み、その最大値から、図４に示す特性図に基づいて第２モード開始照度値を補正する様に構成したことであり、その他の第１の実施の形態と同一構成には同一符号を付すことにより説明を省略する。ここで、該最大値が低いほど第２モード開始照度値が低くなるように補正することにより、より外乱の影響を低減できる。
【００２２】
（実施の形態３）
本発明に係る第３の実施の形態の特性図を図５に示す。
【００２３】
上記第１の実施の形態と異なる点は、照度設定補正手段６２は、図３（ｃ）に示す様に、第１モード中の周囲照度値Ｌの累積値をとり込み、その累積値から、図５に示す特性図に基づいて第２モード開始照度値を補正する様に構成したことであり、その他の第１の実施の形態と同一構成には同一符号を付すことにより説明を省略する。ここで、該累積値が低いほど第２モード開始照度値が低くなるように補正することにより、より外乱の影響を低減できる。
【００２４】
（実施の形態４）
本発明に係る第４の実施の形態の特性図を図６に示す。
【００２５】
上記第１の実施の形態と異なる点は、照度設定補正手段６２は、図３（ｄ）に示す様に、第１モード中のある時における周囲照度値Ｌの微分値をとり込み、その微分値から、図５に示す特性図に基づいて第２モード開始照度値を補正する様に構成したことであり、その他の第１の実施の形態と同一構成には同一符号を付すことにより説明を省略する。ここで微分値とは、第１モード中であれば、周囲照度が第１モード照度設定値を上回った時、あるいは周囲照度が第１モード照度設定値を上回った時から所定時間経過後のいずれの時のものでも構わない。また、該微分値が低いほど第２モード開始照度値が低くなるように補正することにより、より外乱の影響を低減できる。
【００２６】
以上、上記全ての実施の形態の様に構成することにより、使用者の手を煩わせることなく、使用場所の周囲照度に応じて第２モード開始照度値を補正することができ、例えば、使用場所の周囲照度が一日を通して比較的暗いところにおいては、明暗の判別値が低くなるように補正を行うことができる。つまり、使用者が第２モード開始照度値を設定する手間を省くことが可能で、無駄な点灯を防いで電力ロスを低減可能である。
【００２７】
なお、上記全ての実施の形態において、第２モード終了後も周囲照度が第１モード設定照度値より低い場合、第３モードに移行して点灯制御を行う様に構成しても構わない。また、上記全ての実施の形態において、周囲照度と第１モード設定照度値あるいは第２モード開始照度値とを比較する際、所定の時間に略所定周期で周囲照度をサンプリングし、サンプリングされた周囲照度が第１モード設定照度値あるいは第２モード開始照度値を下回る（あるいは超える）割合が、全サンプリング数に対して所定の割合以上である場合のみ、モード変更を行う様に構成してもよく、この様に構成することによって、人が照度センサを遮ることや雲が太陽を遮ることなどの短時間の周囲照度の変化による誤判別を回避できる。更に、上記全ての実施の形態において、図１に示すＣＰＵ４４や照明制御手段４０などの構成は、本発明を実施できるものであれば何でもよく、例えば、照明制御手段４０はＣＰＵ４４をも有する構成でも構わない。更にまた、上記全ての実施の形態において、第１モードは消灯あるいは調光点灯、第２モードはフル点灯、第３モードは調光点灯などといった動作パターンが考えられるほか、人体検知センサなどを組み合わせて、第２、第３モードにおいては人体検知時にフル点灯するなどの動作パターンでもよい。また、上記全ての実施の形態において、第１モード中の周囲照度や第２モード開始照度値の変化特性、上限値、下限値は、図２、図４、図５、図６に図示されたものに限らず、何でもよく、例えば、第２モード開始照度値の上限値を５０ルクスとし下限値を１０ルクスとして、上限値と下限値との範囲を狭くしてもよい。
【００２８】
【発明の効果】
請求項１〜４記載の発明によれば、電力ロスを低減可能で、使用者が第２モード開始照度値を設定する手間を省くことが可能な照明装置を提供できる。
【００２９】
請求項１〜４記載の発明によれば、上記の効果に加えて、外乱の影響を低減可能な照明装置を提供できる。
【図面の簡単な説明】
【図１】本発明に係る第１の実施の形態のブロック構成図を示す。
【図２】本発明に係る周囲照度の変化特性図を示す。
【図３】上記第１の実施の形態に係る、第１モード中の周囲照度値に対する第２モード開始照度値を示す特性図である。
【図４】本発明の第２の実施の形態に係る、第１モード中の周囲照度値に対する第２モード開始照度値を示す特性図である。
【図５】本発明の第３の実施の形態に係る、第１モード中の周囲照度値に対する第２モード開始照度値を示す特性図である。
【図６】本発明の第４の実施の形態に係る、第１モード中の周囲照度値に対する第２モード開始照度値を示す特性図である。
【符号の説明】
２０    照度検出部
４０    照明制御手段
５０    光源
６２    照度設定補正手段
【図１】
0003728907.tif 000002
【図２】
0003728907.tif 000003
【図３】
0003728907.tif 000004
【図４】
0003728907.tif 000005
【図５】
0003728907.tif 000006
【図６】
0003728907.tif 000007